(57)【特許請求の範囲】
【請求項１】
被検者の身体に一定の電流を導通させて電流路を形成するための一対の電流用電極と、該電流路における二点間の電位差を計測するための一対の電圧測定用電極と、被検者の身体データを入力するための操作スイッチとを備える体脂肪計であって、
前記電流用電極の一つと前記電圧測定用電極の一つが体脂肪計の本体の背面に設けられ、
該背面を手首に接触させて手首に装着できるように形成されており、
前記操作スイッチが前記本体の正面または側面に設けられ、
前記電流用電極の他の一つが、前記本体の側面の一方に設けられ、
前記電圧測定用電極の他の一つが、前記本体の側面の他方に設けられ、
前記電流用電極の他の一つが、被検者の一の指に接触し、前記電圧測定用電極の他の一つが、被検者の前記一の指以外の他の指に接触するように構成されていることを特徴とする体脂肪計。
【請求項２】
前記操作スイッチの一部または全部を、
前記電流用電極の他の一つもしくは電圧測定用電極の他の一つにより、または電流用電極の他の一つと電圧測定用電極の他の一つとにより兼用することを特徴とする請求項１記載の体脂肪計。
【請求項３】
前記体脂肪計が腕時計と兼用されることを特徴とする請求項１又は請求項２のいずれかに記載の体脂肪計。
【請求項４】
前記操作スイッチとしての数値データの増減用のキーのそれぞれを、前記電流用電極の他の一つおよび前記電圧測定用電極の他の一つにより兼用することを特徴とする請求項２記載の体脂肪計。
【発明の詳細な説明】
【０００１】
【発明の属する技術分野】
この発明は、体脂肪計に関し、詳しくは、日常的に体脂肪率を手軽に測定できる体脂肪計を提供することを目的とする。
【０００２】
【従来の技術】
従来より、健康維持の観点より体内の脂肪率が注目されている。体脂肪率が増加すると成人病等を引き起こす原因となるので、体脂肪率を測定することにより、成人病の予防を図ることができる。この体脂肪率を測定するための体脂肪計として、体重計に組み込まれて体脂肪率を測定し得るようにされたものがある。即ち、体脂肪率の測定に必要である電流路を形成する電流用電極と該電流路の二点間に生じた電位差を計測するための電圧用電極とが、体重計の基台の足を載せる位置に設けられているものが知られている。
【０００３】
そして、かかる体脂肪率計にあっては、体重計により測定された体重データと、電流用電極による電流と、電圧用電極によって計測される電圧値とから体脂肪率が求められることになる。
【０００４】
また、体重計に組み込まれた体脂肪計以外にも、ハンドルを握るタイプの体脂肪計もある。
【０００５】
【発明が解決しようとする課題】
ところで、前記体重計に組み込まれた体脂肪計は、風呂場等に設置するには適するが、少なくとも靴下を脱ぐ等して測定する必要があり、体脂肪率を手軽に測定することはできない。
【０００６】
また、前記ハンドルを握るタイプの体脂肪計については、体重計に組み込まれた体脂肪計のような靴下を脱ぐ等の煩雑さを伴わずに体脂肪率を測定することは可能であるが、持ち歩くことができず、場所を問わずに日常的に体脂肪率を測定できる程に手軽なものではない。
【０００７】
そこで、本発明は、日常的により手軽に体脂肪率を測定し得る体脂肪計を提供することを目的とする。
【０００８】
【課題を解決するための手段】
上記課題を解決するため、本発明にかかる体脂肪計は、被検者の身体に一定の電流を導通させて電流路を形成するための一対の電流用電極と、該電流路における二点間の電位差を計測するための一対の電圧測定用電極と、被検者の身体データを入力するための操作スイッチとを備え、前記電流用電極の一つと前記電圧測定用電極の一つが体脂肪計の本体の背面に設けられ、該背面を手首に接触させて手首に装着できるように形成されており、前記操作スイッチが前記本体の表面または側面に設けられ、前記電流用電極の他の一つが、前記本体の側面の一方に設けられ、前記電圧測定用電極の他の一つが、前記本体の側面の他方に設けられ、前記電流用電極の他の一つが、被検者の一の指に接触し、前記電圧測定用電極の他の一つが、被検者の前記一の指以外の他の指に接触することを特徴としている（請求項１）。
【０００９】
本発明の体脂肪計は、手首に装着して体脂肪率を測定できるように形成されている。これにより、日常的に携帯することが可能であり、腕時計のように手首に装着するだけで体脂肪率を手軽に測定することが可能なものである。
【００１０】
本発明の上記体脂肪計は、これを被検者の一方の腕の手首に装着すると、体脂肪計の本体の背面に設けられる前記電流用電極の一つと電圧用電極の一つとが被検者の手首の表面に接触した状態にある。そして、被検者が他方の手の任意の二本の指を前記電流用電極の他の一つと前記電圧測定用電極の他の一つに接触させると、前記一つの電流用電極に接触する手首の部位と、前記他の一つの電流用電極に接触する他方の手の指との間に前記電流路が形成される。そして、かかる電流路において、前記一つの電圧測定用電極に接触する手首の部位と、前記他の一つの電圧測定用電極に接触する他方の手の指との二点間の電位差が求められる。そして、該電位差と電流とに基づいて、前記身体の二点間の生体インピーダンスが求められる。
【００１１】
そして、生体インピーダンスと前記操作スイッチにより入力される身体データとに基づいて体脂肪率が求められる。
【００１２】
このように、本発明によると、手首への装着が可能な携帯型に体脂肪計を構成できるので、体脂肪率を手軽に測定することができる。
【００１３】
また、前記操作スイッチの一部または全部を、前記電流用電極の他の一つもしくは電圧測定用電極の他の一つにより、または電流用電極の他の一つと電圧測定用電極の他の一つとにより兼用すると（請求項２）、体脂肪計を構成する部材数を減少させることができ、製品コストを抑えることができる。また、前記操作スイッチとしての数値データの増減用のキーのそれぞれを、前記電流用電極の他の一つおよび前記電圧測定用電極の他の一つにより兼用すると（請求項４）、当該数値データの増減を効率的に行える。例えば、電流用電極の他の一つが数値を増加させるためのインクリメントキーとして、電圧測定用電極の他の一つが数値を減少させるためのデクリメントキーとして用いられると好適である。
【００１４】
また、前記体脂肪計を腕時計と兼用する構成とすると（請求項３）、腕時計を着用することで体脂肪計を携帯することができ、体脂肪率を日常的に手軽に測定できる。
【００１５】
【発明の実施の形態】
本発明の体脂肪計の実施の形態について、図１乃至図７に基づいて説明する。
【００１６】
図１は本発明の一実施形態にかかる体脂肪計１を示す図である。
【００１７】
図１（ａ）が体脂肪計１の平面図であり、図１（ｂ）が体脂肪計１の背面図である。
【００１８】
図１に示される体脂肪計１は、腕時計に体脂肪計が組み込まれて構成されており、腕時計と兼用できるようになっている。
【００１９】
体脂肪計１は、装着ベルト２と体脂肪計本体１０とを備えている。
【００２０】
装着ベルト２は、これを人の手首に巻き付けることにより、体脂肪計１を被検者の手首に固定、支持するためのものである。
【００２１】
体脂肪計本体１０には、その正面に表示部１１と操作部２０とが設けられている。
【００２２】
表示部１１には、測定結果としての体脂肪率を表示する第一表示部１２と、後に説明する身体データを表示するための第二表示部１３とが備わっている。
【００２３】
この表示部１１は、腕時計として用いる場合に表示される時刻や日付の表示と切り替え可能になっている。
【００２４】
操作部２０には、被検者の身体データの入力を行える操作スイッチ２１が備わっている。この被検者の身体データには、体重、身長、年齢、性別等の項目がある。そして、かかる身体データの入力を、この例にあっては、スイッチ２１の操作と、後に説明する電極２８、２９を操作することによる数値データの増減とによって行えるように構成されている。
【００２５】
また、操作部２０には、体脂肪率の測定を開始するための開始スイッチ２２が設けられている。この開始スイッチ２２は、オンする操作が可能に構成されており、後にも説明するように、開始スイッチ２２をオンすることによって、体脂肪率の測定に必要である生体インピーダンスを計測できるようになっている。
【００２６】
体脂肪計本体１０の左側面には一対の電流用電極の他の一つにあたる第二の電流用電極２８が設けられ、本体１０の右側面には一対の電圧用電極の他の一つにあたる第二の電圧用電極２９が設けられている。
【００２７】
そして、本体１０の背面には、図１（ｂ）に示されるように、一対の電流用電極の一つである第一の電流用電極２６と、一対の電圧測定用電極の一つである第一の電圧測定用電極２７が設けられる。
【００２８】
この第一の電流用電極２６、第二の電流用電極２８、第一の電圧測定用電極２７、第二の電圧測定用電極２９は、被検者の身体データとともに体脂肪率を求める上で必要である生体インピーダンスを求めるためのものである。
【００２９】
生体インピーダンスの測定原理について、図２に基づいて説明する。
【００３０】
図２は生体インピーダンスの測定にかかる等価回路図である。即ち、図２は、生体インピーダンスが計測される被検者の身体の部位と、前記電流用電極２６、２８等の各部材との接続関係を表す等価回路を示す図である。
【００３１】
第一の電流用電極２６、第二の電流用電極２８は、被検者の身体の二つの部位３１、３３に各々に接触される。
【００３２】
第一の電流用電極２６と第二の電流用電極２８との間には定電流電源３６が接続されている。
【００３３】
定電流電源３６は、電流値が一定の大きさである電流Ｉを第一の電流用電極２６と第二の電流用電極２８との間に導通させる。これにより、被検者の身体において、第一の電流用電極が接触される部位３１と、第二の電流用電極が接触される部位３３との間には、一定の電流Ｉが導通する電流路が形成される。
【００３４】
また、第一の電圧測定用電極２７、第二の電圧測定用電極２９は、被検者の身体の二つの部位３２、３４に各々に接触される。
【００３５】
第一の電圧測定用電極２７と第二の電圧測定用電極２９との間には、これらの二つの電極間の電位差Ｖを計測するための電圧計３７が接続されている。
【００３６】
この電圧計３７により、部位３２と３４との間の生体インピーダンス３５に電流Ｉが導通することによって生じた電位差Ｖが計測される。
【００３７】
そして、かかる電流Ｉと電位差Ｖとによって、被検者の身体の部位３２と３４との間の生体インピーダンス（＝Ｖ／Ｉ）を求めることができる。この生体インピーダンスが求められると、該インピーダンスと操作スイッチ２１により入力された身体データとから周知の計算式により体脂肪率が計算される。
【００３８】
生体インピーダンスの計測を正確に行うためには、第一の電流用電極２６に接触する部位３１と第一の電圧測定用電極２７に接触する部位３２とが近接しており、第二の電流用電極２８に接触する部位３１と第二の電圧測定用電極２９に接触する部位３４とが近接していることが必要である。
【００３９】
なお、図２に示される定電流電源３６と電圧計３７とは、本体１０に内蔵されている。
【００４０】
また、この体脂肪計１は、開始スイッチ２２をオンする操作によって、定電流電源３６より電流Ｉを出力するように構成されている。これにより、体脂肪率を測定したい時に限って任意に定電流電源３６を動作させることができ、安全上の観点、および定電流電源３６を動作させるための電池の不要な電力の消耗を防ぐ観点から好ましい。
【００４１】
なお、この体脂肪計１については第二の電流用電極２８と第二の電圧測定用電極２９とを本体１０の側面に設ける例により説明したが、これら電極２８、２９を本体１０の正面に設けてもよい。
【００４２】
また、この例では、第二の電流用電極２８および第二の電圧測定用電極２９が、身体データの数値データの増減用のキーと兼用されている。即ち、電極２８が数値を増加させるためのいわゆるインクリメントキーとして、電極２９が数値を減少させるためのいわゆるデクリメントキーとして用いられる。
【００４３】
このように、電極２８、２９と操作スイッチ２１とを兼用する構成とすると、体脂肪計を構成する部材数を減少することができ、製品コストを抑えることができる。
【００４４】
なお、電極２８、２９をインクリメントキーやデクリメントキーとして用いるか、生体インピーダンス計測用の電極として用いるかの選択は、前記操作スイッチ２１によって設定できるようになっている。
【００４５】
また、独立したインクリメントキーとデクリメントキーとを操作部２０に設けるのであっても構わない。
【００４６】
また、本実施の形態にあっては、体脂肪計１として腕時計と兼用される構成のものを示したが、腕時計と兼用することなく体脂肪計１の全体を独立の体脂肪計とするのであってもよい。
【００４７】
上記構成を有する体脂肪計１は、以下のようにして使用される。
【００４８】
まず、図３に示されるように、被検者の左手首に体脂肪計１が装着される。
【００４９】
これにより、第一の電流用電極２６と第一の電圧測定用電極２７とが被検者の左手首の近接する二つの部位に接触される。この電流用電極２６に接触する箇所が前記部位３１にあたり、電圧測定用電極２７に接触する箇所が部位３２にあたる。
【００５０】
次に、図４に示されるように開始スイッチ２２がオンされると、定電流電源３６より一定の電流を出力することが可能になる。
【００５１】
次に、図５に示されるように、右手によって操作スイッチ２１が操作されることにより、身体データの入力が開始される。そして、図６（ａ）に示されるように数値データのインクリメントを電極２８により、また、図６（ｂ）に示されるように数値データのデクリメントを電極２９により行う。このようにして身体データが入力される。
【００５２】
そして、操作スイッチ２１の操作により、電極２８、２９について、生体インピーダンスを計測できる状態とする。
【００５３】
次に、図７に示されるように、右手の人指し指を第二の電流用電極２８に接触させ、右手の親指を第二の電圧測定用電極２９に接触させる。この電流用電極２８に接触する右手の人指し指が部位３３にあたり、電圧測定用電極２９に接触する右手の親指が部位３４にあたる。
【００５４】
なお、右手の人指し指の代わりに右手の中指を第二の電流用電極２８に接触させ、右手の親指の代わりに右手の人指し指を第二の電圧測定用電極２９に接触させる等、電極２８と電極２９とに接触させることが可能な右手の任意の二本の指により接触するのであってもよい。これにより、第二の電流用電極２８と第二の電圧測定用電極２９とが被検者の右手の近接する二つの部位に接触されることになるからである。
【００５５】
そして、体脂肪計１に内臓される定電流電源３６より出力された電流が、第一の電流用電極２６に接触する部位３１より被検者の身体を通って部位３３に接触する第二の電流用電極２８へと導通することになる。
【００５６】
そして、体脂肪計１において、第一の電圧測定用電極２７に接触する部位３２と第二の電圧測定用電極２９に接触する部位３４との間の生体インピーダンスが求められる。また、この生体インピーダンスと身体データとに基づいて、体脂肪率が計算される。
【００５７】
そして、求められた体脂肪率は、第一表示部１２に表示される。
【００５８】
このように、本発明の体脂肪計は、手首に装着して体脂肪率を測定できるように形成されているので、腕時計として又は腕時計のように手首に装着して日常的に携帯することにより、体脂肪率を手軽に測定することができる。
【００５９】
【発明の効果】
以上に説明したように、請求項１記載の体脂肪計は、日常的に場所を問わずに体脂肪率を手軽に測定することができるという効果を奏する。
【００６０】
請求項２記載の発明は、体脂肪計を構成する部材数を減少させ、製品コストを減少させ得るという効果を奏する。
【００６１】
請求項３記載の発明は、腕時計の着用により体脂肪計を携帯することができ、体脂肪率を日常的に手軽に測定できるという効果を奏する。
【図面の簡単な説明】
【図１】体脂肪計を表す図である。
【図２】体脂肪計の等価回路を表す図である。
【図３】体脂肪計を被検査者の左手の手首に装着した状態を示す図である。
【図４】体脂肪計を右手により操作する状態を示す図である。
【図５】体脂肪計を右手により操作する状態を示す図である。
【図６】体脂肪率を測定するための操作の状態を示す図である。
【図７】体脂肪率を測定するための操作の状態を示す図である。
【符号の説明】
１      体脂肪計
２      装着ベルト
１０      体脂肪計本体
１１      表示部
１２      第一表示部
１３      第二表示部
２０      操作部
２１      操作スイッチ
２２      開始スイッチ
２６      第一の電流用電極
２７      第一の電圧用電極
２８      第二の電流用電極
２９      第二の電圧用電極
３１      第一の電流用電極と接触する身体の部位
３２      第一の電圧用電極と接触する身体の部位
３３      第二の電流用電極と接触する身体の部位
３４      第二の電圧用電極と接触する身体の部位
３５      生体インピーダンス
３６      定電流電源
３７      電圧計
【図１】
0003975000.tif 000002
【図２】
0003975000.tif 000003
【図３】
0003975000.tif 000004
【図４】
0003975000.tif 000005
【図５】
0003975000.tif 000006
【図６】
0003975000.tif 000007
【図７】
0003975000.tif 000008